(57)【要約】【課題】この発明は内部にダニが出入りしたり、内部で発生するほこりが出てくるのを防止したマットレス装置を提供することにある。【解決手段】２枚の側地４の周縁部を縫合するとともに、この周縁部の一部にファスナ５を縫合して開閉可能な開閉部を形成した袋状の外装体４と、外装体内に収容されたクッション材９を具備し、  側地はダニやほこりを通さない素材であって、２枚の側地の縫合部分及びファスナが設けられた開閉部はダニやほこりを通さない帯状テープ１１によって覆われる。【選択図】      図２
2006255293.tif 000002
【特許請求の範囲】
【請求項１】
２枚の側地の周縁部を縫合するとともに、この周縁部の一部に開閉可能な開閉部が形成された袋状の外装体と、
この外装体内に収容されたクッション材を具備し、
上記側地はダニやほこりを通さない素材であって、２枚の側地の縫合部分及び上記開閉部はダニやほこりを通さない帯状テープによって覆われていることを特徴とするマットレス装置。
【請求項２】
上記２枚の側地はダニやほこりを通さない目の細かい布地であることを特徴とする請求項１記載のマットレス装置。
【請求項３】
上記２枚の側地は布地に樹脂フィルムをラミネートして形成されていることを特徴とする請求項１記載のマットレス装置。
【請求項４】
２枚の側地の縫合部分と開閉部は上記外装体の外周面に位置していて、上記帯状テープはその外周面の全長にわたって設けられていることを特徴とする請求項１記載のマットレス装置。
【請求項５】
上記帯状テープはダニやほこりを通さない目の細かい布地によって形成されていて、上記外装地に接着固定されることを特徴とする請求項１記載のマットレス装置。
【請求項６】
上記帯状テープは布地に樹脂フィルムをラミネートした構成となっていて、上記外装地に接着固定されることを特徴とする請求項１記載のマットレス装置。
【発明の詳細な説明】
【技術分野】
【０００１】
この発明は内部にダニが出入りしたり、内部のほこりが出てくることのないマットレス装置に関する。
【背景技術】
【０００２】
一般に、マットレス装置は布地を袋状に縫製した外装体内にウレタンフォームや綿などのクッション材を収容して形成されている。クッション材としてウレタンフォームや綿などを使用した場合、ほこりが出やすいということがあるばかりか、ダニが発生して外部に出てくるということがあったり、逆に外部のダニが内部に侵入するなどのことがあり、利用者にとって好ましいことではなかった。
【０００３】
そこで、上記マットレス装置の外装体をダニやほこりを通さない目の細かな布地によって形成するということが行われている。
【発明の開示】
【発明が解決しようとする課題】
【０００４】
目の細かい布地で外装体を形成すれば、この布地はダニやほこりを通すのを防止することができる。しかしながら、マットレス装置に用いられる外装体は２枚の布地の周縁部を縫合するとともに、その一部にファスナを縫合して袋状に形成されている。そして、外装体の内部には上記ファスナを開いてクッション材を収容するようにしている。
【０００５】
そのため、外装体をダニや埃を通さない目の細かい布地で形成しても、２枚の布地の縫合部分やファスナの縫合部分には縫合糸の縫い目のピッチによって隙間が生じるから、その縫い目の隙間から外装体内にダニが出入りしたり、内部で生じた埃が外部に出てくるということがあった。
【０００６】
この発明は、外装体内にダニが出入りしたり、内部からほこりが出てくるのを確実に防止することができるようにしたマットレス装置を提供することにある。
【課題を解決するための手段】
【０００７】
この発明は、２枚の側地の周縁部を縫合するとともに、この周縁部の一部に開閉可能な開閉部が形成された袋状の外装体と、
この外装体内に収容されたクッション材を具備し、
上記側地はダニやほこりを通さない素材であって、２枚の側地の縫合部分及び上記開閉部はダニやほこりを通さない帯状テープによって覆われていることを特徴とするマットレス装置にある。
【０００８】
上記２枚の側地はダニやほこりを通さない目の細かい布地であることが好ましい。
【０００９】
上記２枚の側地は布地に樹脂フィルムをラミネートして形成されていることが好ましい。
【００１０】
２枚の側地の縫合部分と上記開閉部は上記外装体の外周面に位置していて、上記帯状テープはその外周面の全長にわたって設けられていることが好ましい。
【００１１】
上記帯状テープはダニやほこりを通さない目の細かい布地によって形成されていて、上記外装地に接着固定されることが好ましい。
【００１２】
上記帯状テープは布地に樹脂フィルムをラミネートした構成となっていて、上記外装地に接着固定されることが好ましい。
【発明の効果】
【００１３】
この発明によれば、外装体をダニやほこりを通さない側地で形成するとともに、この側地の縫合部分や開閉部を側地と同じようにダニや埃を通さない帯状テープで覆うようにしたため、外装体内にダニが出入りしたり、内部のほこりが外部に出るのを防止することができる。
【発明を実施するための最良の形態】
【００１４】
以下、この発明の一実施の形態を図面を参照して説明する。  
図１はマットレス装置１の上面に設けられた枕２に利用者Ｕが頭部Ｈを載せて仰臥し、掛け布団３を掛けて就寝している状態を示している。上記マットレス装置１は外装体４を有する。この外装体４は、たとえば絹に比べて数分の１程度の太さの極細繊維によって、ダニやほこりを通すことのない細かい目に編まれた２枚の側地５によって平面形状が矩形で、薄い扁平の袋状に形成されている。
【００１５】
すなわち、上記２枚の側地５は矩形状であって、これら側地５は周縁部の一部を除く全長を図３に示すように糸１０ａによって縫合するとともに、上記一部に図４に示すようにファスナ６を糸１０ｂによって縫合して開閉可能な袋状に形成されている。上記ファスナ６は外装体４の外周面のうち、長手方向の一端面の全長及びこの一端面の両端に連続する一対の側面の一部にわたって設けられている。
【００１６】
つまり、外装体４の外周面の一部には上記ファスナ６によって開閉可能な開閉部が形成されている。開閉部を開閉する手段はファスナ６に限られず、ホックやボタンなどを用いるようにしてもよい。
【００１７】
２枚の側地５の縫合部分を第１の縫合部７とし、側地５とファスナ６との縫合部を第２の縫合部８とする。これら第１、第２の縫合部７、８は外装体４の外周面の高さ方向中途部に設けられている。
【００１８】
袋状に縫製された外装体４には、上記ファスナ６を開いて内部にクッション体９が収容される。クッション体９としてはウレタンフォームや綿などが用いられるが、その種類は限定されるものでない。
【００１９】
第１、第２の縫合部７，８はそれぞれ糸１０ａ、１０ｂによって側地５を縫合しているから、縫合部分には糸１０ａ、１０ｂによる縫い目のピッチに応じた隙間が生じる。そのため、その隙間をダニやほこりが通過することになる。
【００２０】
そこで、外装体４の第１、第２の縫合部７，８はダニや埃を通すことのない帯状テープ１１によって覆われる。帯状テープ１１としては外装体４を形成する側地５と同じ材料の布地を用いたり、ニット生地にウレタンフィルムなどの合成樹脂フィルムをラミネートして気密性を備えた材料などが用いられる。なお、帯状テープ１１は側地５と同じ布地に合成樹脂フィルムをラミネートした布地であってもよい。
【００２１】
すなわち、上記帯状テープ１１は上記第１、第２の縫合部７、８を覆う状態で上記外装体４の外周面の全長にわたって接着固定される。帯状テープ１１を外装体４の外周面に接着する手段としては、接着剤を用いて接着したり、両面粘着テープを用いて接着してもよい。
【００２２】
さらに、帯状テープ１１にホットメルト樹脂をコーティングしておき、この帯状テープ１１をアイロンなどで加熱して上記ホットメルト樹脂を溶融硬化させることで、外装体４の外周面に接着するようにしてもよい。
【００２３】
なお、外装体４の側地５を形成する素材は、ごみやほこりを通さない目の細かい布地に代えて、帯状テープ１１と同様、ニット生地にウレタンフィルムをラミネートした布地を用いたり、ほこりを通さない目の細かい布地にさらにウレタンフィルムをラミネートした布地を用いるようにしてもよい。側地５に後者の布地を用いれば、外装体４の機密性をより一層、高めることができる。さらに、側地５を形成する素材は布地に代えてレザー、人工皮革或いは樹脂製シートなどであってもよい。
【００２４】
このように、外装体４の外周面には、第１、第２の縫合部７、８を覆う帯状テープ１１を設けたから、これらの縫合部７、８が密封される。そのため、縫合部７、８を通じてダニが外装体４内に出入りしたり、クッション体９で発生するほこりが外部に出るのを防止することができるから、利用者Ｕはダニやほこりに悩まされることなく快適に就寝することができる。
【００２５】
図５は上記掛け布団３の一部を断面した平面図である。この掛け布団３は内部に図示しない羽毛が充填される外装体１４を有する。この外装体１４はダニやほこりを通すことのない布地を袋状に縫製して形成されている。
【００２６】
上記外装体１４の内部には帯状の仕切り布１５が上下端を外装体１４の内面に接着若しくは縫合して格子状に設けられ、外装体１４の内部を複数の部屋１６に区画している。上記仕切り布１５には、各部屋１６に羽毛を吹き込むためのパイプを挿通する挿通部（図示せず）が形成されていて、その挿通部を通じて各部屋１６に外装体１４の外部から挿通される上記パイプによって羽毛が充填されるようになっている。
【００２７】
掛け布団３の外装体１４は上述したようにダニやほこりを通すことのない布地によって形成されている。そのため、外装体１４の内部にダニが出入りしたり、内部のほこりが外部に出るなどのことがないから、上述したマットレス装置１と一緒に使用すれば、利用者Ｕはダニやほこりに悩まされずに就寝することができる。
【００２８】
図６はこの発明の帯状テープ１１Ａの変形例であって、この帯状テープ１１Ａは布地２１の一側面にウレタンなどの合成樹脂によって形成された樹脂フィルム２２がコーティングされている。このような帯状テープ１１Ａによれば、布地２１の目の荒さに係りなく気密性を確保できるから、第１、第２の縫合部７，８からダニが出入りしたり、ほこりが出るのを確実に防止することができる。
【図面の簡単な説明】
【００２９】
【図１】この発明の一実施の形態を示す利用者がマットレス装置を利用して就寝している状態の側面図。
【図２】マットレス装置の一部断面した側面図。
【図３】外装体の第１の縫合部を拡大して示す断面図。
【図４】外装体の第２の縫合部を拡大して示す断面図。
【図５】掛け布団の一部断面した平面図。
【図６】この発明の他の実施の形態を示す帯状テープの拡大断面図。
【符号の説明】
【００３０】
１…マットレス装置、３…掛け布団、４…外装体、５…側地、６…ファスナ、７…第１の縫合部、８…第２の縫合部、９…クッション体、１１…帯状テープ。
【図１】
2006255293.tif 000003
【図２】
2006255293.tif 000004
【図３】
2006255293.tif 000005
【図４】
2006255293.tif 000006
【図５】
2006255293.tif 000007
【図６】
2006255293.tif 000008